(57)【特許請求の範囲】
【請求項１】
第１の焦点調整用レンズ系を有する第１のレンズ鏡筒と、
第２の焦点調整用レンズ系を有する第２のレンズ鏡筒と、
前記第１のレンズ鏡筒と前記第２のレンズ鏡筒とを連結するブリッジと、
前記ブリッジに対して前記第１のレンズ鏡筒を回動可能にし、かつ前記第１の焦点調整用レンズ系と共に光軸方向に移動可能な第１のフォーカス軸と、
前記ブリッジに対して前記第２のレンズ鏡筒を回動可能にし、かつ前記第２の焦点調整用レンズ系と共に光軸方向に移動可能な第２のフォーカス軸と、
前記第１の焦点調整用レンズ系と前記第２の焦点調整用レンズ系の両方を互いの光軸に沿って移動させるための焦点調整軸と、
前記ブリッジ内の前記２つのフォーカス軸の間に設けられ、視度差調整のために前記第１の焦点調整用レンズのみを前記光軸方向に移動させるための視度差調整軸と、を備え、
前記焦点調整軸と前記視度差調整軸とが平行、かつ、前記視度差調整軸を回転自在に互いに軸方向に固定して配置され、
前記視度差調整軸は、前記第１のフォーカス軸を介して前記第1の焦点調整用レンズ系に連結され、
前記焦点調整軸は、前記第２のフォーカス軸を介して前記第２の焦点調整用レンズ系に連結されていると共に、前記視度差調整軸及び前記第１のフォーカス軸を介して、第１の焦点調整用レンズ系に連結され、
前記視度差調整軸は、視度差調整時には、前記光軸方向に移動することなく当該視度差調整軸が回転することにより、前記第１のフォーカス軸を前記第1の焦点調整用レンズ系の光軸方向に移動させ、
前記焦点調整軸は、焦点調整時には、前記視度差調整軸との光軸方向における相対距離が変わらずに前記光軸方向に前記視度差調整軸と共に移動させることにより、前記第１の焦点調整用レンズ系及び前記第２の焦点調整用レンズ系を光軸方向に移動させて前記焦点調整を行う、
ことを特徴とする双眼鏡。
【請求項２】
前記焦点調整軸は、軸部と該軸部から前記視度差調整軸の方へ延びて、前記視度差調整軸に係合している第一の羽根部を有する、
ことを特徴とする請求項１に記載の双眼鏡。
【請求項３】
前記焦点調整軸は、前記軸部から前記第２のフォーカス軸の方へ延びて、該第２のフォーカス軸に係合する第２の羽根部を有し、
前記焦点調整軸の軸に平行に、前記ブリッジに相対移動不能に設けられた案内軸と、前記第２の羽根部に形成され、前記案内軸が貫通する貫通孔とを有し、前記ブリッジに対する前記焦点調整軸の相対回転を阻止する回転阻止手段を備えている、
ことを特徴とする請求項２に記載の双眼鏡。
【請求項４】
前記第１の羽根部の先端は、鉤状を成して、前記視度差調整軸に係合し、
前記第２の羽根部の先端は、鉤状を成して、前記第２のフォーカス軸に係合し、
前記第１の羽根部及び前記第２の羽根部の鉤の開口方向は、いずれも、前記焦点調整軸を予め定めた方向に回転させた場合の進行方向に向けられている、
ことを特徴とする請求項３に記載の双眼鏡。
【請求項５】
前記視度差調整軸と前記第１のフォーカス軸とは、継手によって連結され、
前記視度差調整軸の外周には雄ねじが形成され、前記継手は、前記雄ねじと噛み合う雌ねじを有し、
前記継手は、前記視度差調整軸の回転によって前記雌ねじが前記雄ねじに対して送られることにより前記光軸方向に移動する構成である、
ことを特徴とする請求項１乃至４のいずれか一項に記載の双眼鏡。
【発明の詳細な説明】
【０００１】
【発明の属する技術分野】
本発明は、焦点調整機構と視度差調整機構とを備えた双眼鏡に関する。
【０００２】
【従来の技術】
焦点調整機構と視度差調整機構とを備えた双眼鏡としては、特開平３−１６３５１２号公報記載のものが知られている。この双眼鏡は、左右の鏡筒を連結するブリッジ部に、焦点調整用ホイールと、ジオプタ調整用ホイールと、主軸とを配置している。主軸は、基部側の軸と先端側の軸からなり、両者はねじの噛み合いにより軸方向に連結されている。基部側の軸は、焦点調整用ホイールとねじ嵌合し、先端側の軸はジオプタ調整用ホイールとねじ嵌合している。これにより、焦点調整用ホイールを回転させると、主軸の全体が軸方向に移動し、ジオプタ調整用ホイールを回転させると、先端側の軸が基部側の軸に対して軸方向に繰り出される構造になっている。また、左右の鏡筒にそれぞれ配置された対物レンズのうち、一方は基部側の軸に連結され、他方は先端側の軸に連結されている。したがって、ユーザが焦点調整用ホイールを回転させると、主軸全体が一体となって軸方向移動するため、左右の対物レンズがともに光軸方向に移動して焦点調整を行うことができる。また、ユーザがジオプタ調整用ホイールを回転させると、主軸の先端側の軸のみが軸方向に繰り出され、先端側の軸に連結されている対物レンズが光軸方向に移動し、視度調整を行うことができる。
【０００３】
【発明が解決しようとする課題】
上述のように上記特開平３−１６３５１２号公報記載の双眼鏡は、焦点調整時には主軸全体が移動し、視度調整時には主軸の先端部が繰り出す構成である。よって、焦点調整時には主軸全体がブリッジの中で移動し、視度調整時には主軸の長さが伸び縮みする。
【０００４】
一方、主軸が配置されるブリッジのサイズは、使い勝手よい大きさに基づいて予め設計によって定められている。特に、持ち運びに便利な小型な双眼鏡の場合には、鏡筒の長さもブリッジの長さも短く設計されている。このような小型な双眼鏡の場合、上記特開平３−１６３５１２号公報記載の双眼鏡の構成では、視度調整のために主軸の先端部を繰り出すと、主軸全体の長さが長くなることにより、焦点調整のために主軸をブリッジ内で移動させることのできる範囲が小さくなり、焦点調整の範囲が小さくなるという問題が生じる。すなわち、ブリッジの中で主軸が移動できる長さをＬとした場合、焦点調整のための移動範囲Ｌ１と、視度調整のために移動範囲Ｌ２とはＬ＝Ｌ１＋Ｌ２という関係にある。このため、双眼鏡でより近くの対象物にピントを合わせるために、対物レンズを大きく移動させようとしても、視度調整量が大きい場合には合焦位置まで対物レンズを移動させることができない。これにより、最短合焦距離（どこまで近くが見えるか）を小さくできないという問題が生じる。また、移動制限の取り方によっては、視度調整位置により最短合焦距離が変化するという問題もある。
【０００５】
また、特開平３−１６３５１２号公報記載の双眼鏡は、焦点調整時の主軸の作動ガタを生じやすいという問題がある。上述のように、主軸は、基部側の軸と先端側の軸とに分かれ、両者がねじを噛み合わせることで連結されている。また、基部側の軸の端部は、焦点調整ホイールとのねじの噛み合いによって受けられている。先端側の軸の端部は、ジオプタ調整用ホイールとのスプライン構造によるはめ合い、または、主軸と対物レンズとを連結するブリッジ部材を貫通する運動ロッド（案内棒）によって受けられている。したがって、基部側の軸は、両端がねじのかみ合わせによって受けられている。このため、焦点調整時に作動ガタが生じやすい。また、先端側の軸は、一端がねじの噛み合いで他端がスプライン構造で受けられている。ねじによるガタは少ないが、ブリッジ部材に設けられている案内棒が貫通する貫通孔の径と、案内棒の径との差の分だけ軸が左右に振れる。貫通孔の径は、案内棒と主軸との間隔の部品公差を吸収するために、ある程度大きめにしなければならない。このため案内棒で主軸の先端側の軸を受ける場合でもやはり作動ガタが生じる。このような焦点調整時の主軸の作動ガタ、特に軸の左右方向の作動ガタは、双眼鏡の左右の対物レンズの位置の誤差になり、左右の視度差になるという問題がある。
【０００６】
本発明は、焦点調整機能と視度差調整機能とを備えながら、焦点調整の範囲の広い双眼鏡を提供することを目的とする。
【０００７】
【課題を解決するための手段】
上記目的を達成するために、本願によれば以下のような双眼鏡が提供される。
【０００８】
すなわち、第１の焦点調整用レンズ系を有する第１のレンズ鏡筒と、第２の焦点調整用レンズ系を有する第２のレンズ鏡筒と、前記第１のレンズ鏡筒と前記第２のレンズ鏡筒とを連結するブリッジと、前記ブリッジに対して前記第１のレンズ鏡筒を回動可能にし、かつ前記第１の焦点調整用レンズ系と共に光軸方向に移動可能な第１のフォーカス軸と、前記ブリッジに対して前記第２のレンズ鏡筒を回動可能にし、かつ前記第２の焦点調整用レンズ系と共に光軸方向に移動可能な第２のフォーカス軸と、前記第１の焦点調整用レンズ系と前記第２の焦点調整用レンズ系の両方を互いの光軸に沿って移動させるための焦点調整軸と、前記ブリッジ内の前記２つのフォーカス軸の間に設けられ、視度差調整のために前記第１の焦点調整用レンズのみを前記光軸方向に移動させるための視度差調整軸とを備え、
前記焦点調整軸と前記視度差調整軸とが平行、かつ、前記視度差調整軸を回転自在に互いに軸方向に固定して配置され、前記視度差調整軸は、前記第１のフォーカス軸を介して前記第1の焦点調整用レンズ系に連結され、前記焦点調整軸は、前記第２のフォーカス軸を介して前記第２の焦点調整用レンズ系に連結されていると共に、前記視度差調整軸及び前記第１のフォーカス軸を介して、第１の焦点調整用レンズ系に連結され、
前記視度差調整軸は、視度差調整時には、前記光軸方向に移動することなく当該視度差調整軸が回転することにより、前記第１のフォーカス軸を前記第1の焦点調整用レンズ系の光軸方向に移動させ、前記焦点調整軸は、焦点調整時には、前記視度差調整軸との光軸方向における相対距離が変わらずに前記光軸方向に前記視度差調整軸と共に移動させることにより、前記第１の焦点調整用レンズ系及び前記第２の焦点調整用レンズ系を光軸方向に移動させて前記焦点調整を行うことを特徴とする双眼鏡である。
【０００９】
【発明の実施の形態】
本発明の一実施の形態について図面を用いて説明する。
【００１０】
まず、第１の実施の形態の双眼鏡について、図１，図１０、図１３を用いて説明する。第１の実施の形態の双眼鏡は、図１、図１０のように、左右の鏡体１，２と、左右の鏡体１，２を連結するブリッジ３とを有している。鏡体１は、対物レンズ１０１Ｌと、焦点調整用レンズ１４と、像正立プリズム１０２Ｌと、これらを収容する鏡筒１ａとを有している。焦点調整用レンズ１４は、レンズ枠１４ａにより支持されている。同様に、鏡体２は、対物レンズ１０１Ｒと、焦点調整用レンズ１５と、像正立プリズム１０２Ｒと、これらを収容する鏡筒２ａとを有している。焦点調整用レンズ１５は、レンズ枠１５ａにより支持されている。左右の鏡体１，２の接眼側には、それぞれ接眼レンズを内蔵する接眼レンズ部１０３Ｌ、１０３Ｒが取り付けられている。
【００１１】
鏡体１には、フォーカス軸（連結用軸）１３Ｌの一端が挿入され、連結部材１４ｂ，１４ｃを介して焦点調整用レンズ枠１４ａと連結されている。フォーカス軸１３Ｌの他端は、ブリッジ３内に挿入されている。同様に、鏡体２には、フォーカス軸１３Ｒの一端が挿入され、連結部材１５ｂ，１５ｃを介して焦点調整用レンズ枠１５ａと連結されている。フォーカス軸１３Ｒの他端は、ブリッジ３内に挿入されている。フォーカス軸１３Ｌ，１３Ｒの軸１１５，１１６は、鏡体１，２の光軸と平行である。左右の鏡体１，２は、軸１１５，１１６を中心に回動可能であり、これにより双眼鏡を折り畳むことができる。
【００１２】
ブリッジ３は、ブリッジ筐体１１３と、ブリッジ筐体１１３を覆うブリッジカバー２０とを有し、この内部に、焦点調整軸５、焦点調整用ノブ（焦点調整操作部）４、視度差調整軸６、視度差調整用ノブ（視度差調整操作部）７、案内軸１２Ｌ、１２Ｒおよび継手８が配置されている。焦点調整用ノブ４および視度差調整用ノブ７は、図１３のように、ブリッジカバー２０に設けられた開口から外部に露出されており、ユーザがこれらを操作できる。
【００１３】
焦点調整軸５は、軸５ａと左右に張り出した羽根５Ｌ，５Ｒを有する。焦点調整軸５の軸５ａは、鏡体１，２の光軸およびフォーカス軸１３Ｌ，１３Ｒの軸１１５，１１６に平行である。焦点調整軸５の両端は、ブリッジ筐体１１３に設けられた軸受け孔１１０，１１１に挿入され、軸受け孔１１０，１１１によって支持されている。このとき、焦点調整軸５の両端をブリッジ筐体１１３の軸受け孔に組み付け可能とするために、軸受け孔１１０，１１１のいずれか一方（ここでは軸受け孔１１０）は、図７のように、焦点調整軸５の端部を光軸に対して垂直方向から挿入するための切り欠き部（開口）を有するように、断面を半円形状としている。組立後は反対に、焦点調整軸５の端部が切り欠き部方向に移動するのを制限するために、ブリッジ筐体１１３にブリッジカバー２０を取りつけ、ブリッジカバー２０の突起２０ａを切り欠き部に挿入している。また、焦点調整軸５の軸５ａ方向の長さａは、ブリッジ筐体１１３の軸５ａ方向についての長さよりも短く設計されている。かつ、焦点調整軸５の移動範囲全域で、焦点調整軸５の端部がブリッジ鏡体１１３の軸受け孔１１０，１１１と嵌合するようにｂ１、ｂ２の長さが設計されている。これにより、焦点調整軸５は、ブリッジ筐体１１３内部で軸５ａ方向に移動可能で、かつ、焦点調整軸５の移動範囲全域において、軸受け孔１１０，１１１によって支持されるように構成している。なお、図３，図４，図８，図９で示される第２実施の形態では、ブリッジ筐体１１３の軸受け孔の一方が、焦点調整軸５の端部の径より大きくなるように設計されている。そのため、一方の軸受け孔が第１の実施の形態のように切り欠き部を有する半円形でなくても、焦点調整軸５がブリッジ筐体１１３の軸受け孔に組み付け可能となっている。
【００１４】
焦点調整軸５の左羽根５Ｌには、貫通孔１１２が形成されており、この貫通孔１１２を案内軸１２Ｌが貫通している。案内軸１２Ｌの両端は、ブリッジ筐体１１３によって受けられている。このように、案内軸１２Ｌにより左羽根５Ｌを貫通させる構造により、焦点調整軸５の回転を阻止している。
【００１５】
焦点調整軸５の外周には、雄ねじが形成されており、焦点調整用ノブ４の内径に形成された雌ねじと噛み合っている。焦点調整用ノブ４は、回転は可能であるが、軸５ａの方向には移動しないようにブリッジ筐体１１３に取り付けられている。焦点調整軸５は案内軸１２Ｌにより回転を阻止されているため、焦点調整用ノブ４が回転すると、軸５ａ方向、すなわち光軸方向に移動する。
【００１６】
焦点調整軸５の左羽根５Ｌの先端は、図１０のように鉤状であり、左鏡体１側のフォーカス軸１３Ｌの端部に設けられた凹部１１４に係合している。よって、焦点調整用ノブ４の回転により焦点調整軸５が軸５ａの方向に移動すると、これに伴ってフォーカス軸１３Ｌも軸１１５方向に移動し、フォーカス軸１３Ｌの端部に連結部材１４ｂ，１４ｃを介して連結されている焦点調整用レンズ枠１４ａも光軸方向に移動する。これにより、左鏡体１の焦点調整を行うことができる。
【００１７】
また、左羽根５Ｌの先端とフォーカス軸１３Ｌとの係合は、フォーカス軸１３Ｌの回転を妨げない構造であり、双眼鏡の折り畳み時に、鏡体１をフォーカス軸１３Ｌの軸１１５を中心に回動させることができる。
【００１８】
一方、焦点調整軸５の右羽根５Ｒ側には、焦点調整軸５と平行に視度差調整軸６が配置されている。視度差調整軸６の一端は、ブリッジ筐体１１３に設けられた軸受け孔１１８に挿入され、これによって支持されている。焦点調整軸５の右羽根５Ｒの先端は、図１０のように鉤状であり、視度差調整軸６の凹部１１７と係合している。これにより、焦点調整軸５が軸５ａ方向に移動すると、それに伴って視度差調整軸６も軸６ａ方向に移動する。
【００１９】
また、視度差調整軸６の中央部と視度差調整用ノブ７とは、図５または図６に示したようなスプライン構造によるはめ合いとなっている。よって、視度差調整用ノブ７を回転させると、視度差調整軸６は回転する。このとき、右羽根５Ｒ先端の鉤部と視度差調整軸６との係合部分は、視度差調整軸６の回転を妨げないように構成されているため、右羽根５Ｒ先端の鉤内で視度差調整軸６が回転する。また、視度差調整用ノブ７は、軸６ａ方向には移動せず、回転のみ可能にブリッジ筐体１１３に支持されているため、右羽根５Ｒが軸５ａ方向に移動した場合には、視度差調整軸６のみが軸６ａ方向に移動し、視度差調整用ノブ７は軸６ａ方向には移動しない。この視度差調整軸６の軸６ａ方向に移動の際に、視度差調整軸６と視度差調整用ノブ７とのはめ合いは、スプライン構造により維持される。
【００２０】
また、視度差調整軸６の他端側の外周には、雄ねじが形成されており、この雄ねじに噛み合う雌ねじが継ぎ手８に形成されている。継手８には、貫通孔１２０が設けられており、軸方向が光軸に平行な案内軸１２Ｒが挿入されている。案内軸１２Ｒの両端は、ブリッジ筐体１１３により支持されている。したがって、視度差調整軸６が回転すると継手８が送られ、回転方向に応じて、継ぎ手８が図１において左右に移動する。これにより、継ぎ手８を案内軸１２Ｒに沿って軸６ａ方向に移動させることができる。また、視度差調整軸６が軸６ａ方向に移動する際には、それに伴って継ぎ手８も軸６ａ方向に移動する。
【００２１】
継ぎ手８の先端は、図１０のように鉤形状であり、右鏡体２側のフォーカス軸１３Ｒの端部に設けられた凹部１１９に係合している。
【００２２】
よって、視度差調整用ノブ７をユーザが回転させることにより、視度差調整軸６が回転すると、継ぎ手８が軸６ａ方向に移動し、フォーカス軸１３Ｒも軸１１６方向に移動する。したがって、フォーカス軸１３Ｒの端部に連結部材１５ｂ，１５ｃを介して連結されている焦点調整用レンズ枠１５ａも光軸方向に移動する。これにより、左鏡体１の焦点調整用レンズ１４に対して、右鏡体２の焦点調整用レンズ１５のみを相対的に移動させることができ、視度調整を行うことができる。
【００２３】
また、焦点調整用ノブ４の回転により焦点調整軸５が軸５ａ方向に移動した場合には、上述のように右羽根５Ｒとの係合により視度差調整軸６も軸６ａ方向に移動するため、継ぎ手８も軸６ａ方向に移動する。これに伴いフォーカス軸１３Ｒも軸１１６方向に移動し、フォーカス軸１３Ｒに連結されている焦点調整用レンズ枠１５ａも光軸方向に移動させることができる。これにより、右鏡体２の焦点調整用レンズ１５を光軸方向に移動させることができ、焦点調整を行うことができる。したがって、焦点調整用ノブ４を回転させ焦点調整軸５を軸５ａ方向に移動させることにより、左右鏡体１，２の焦点調整用レンズ１４，１５が光軸方向に一体に移動し、左右鏡体１，２を同時に焦点調整することができる。
【００２４】
また、継ぎ手８の先端とフォーカス軸１３Ｒとの係合は、フォーカス軸１３Ｒの回転を妨げない構造であり、鏡体２をフォーカス軸１３Ｒの軸１１６を中心に回動させ、双眼鏡を折り畳むことができる。
【００２５】
上述してきたように、第１の実施の形態の双眼鏡は、ユーザが焦点調整用ノブ４を回転させることにより、左右鏡体１，２の焦点調整用レンズ１４，１５を同時に光軸方向に移動させて焦点調整を行うことができる。また、ユーザが視度差調整用ノブ７を回転させることにより、右鏡体２の焦点調整用レンズ１５のみを光軸方向に移動させ視度調整を行うことができる。このとき、本実施の形態の双眼鏡は、焦点調整軸５と視度差調整軸６とを別々に配置し、視度差調整操作部（視度差調整用ノブ７）の操作を行った際に、視度差調整軸６が光軸方向に移動しないようにしているため、焦点調整軸５の軸方向の可動範囲は、視度差調整軸６の視度調整量、すなわち視度差調整軸６に対する継手８の光軸方向の移動量の影響を受けない。したがって、視度差調整の状態により焦点調整用の焦点調整軸５の移動量が変化することがなく、最短合焦距離が変化しない。また、ブリッジ筐体１１３の軸５ａ方向の長さをすべて、焦点調整軸５の可動範囲に使用可能であるため、焦点調整軸５の可動範囲を大きく取ることができ、最短合焦距離の小さい双眼鏡を提供することができる。
【００２６】
また、焦点調整軸５は、両端がブリッジ筐体１１３の軸受け孔１１０，１１１によって支持されており、ねじの噛み合わせで軸受けされた構造ではないため、特に軸の左右方向の作動ガタは、軸受け孔１１０，１１１の径と焦点調整軸５の径との差により生じる作動ガタのみとなり、ねじガタの場合より小さい。また、視度差調整軸６は、一方の端部が継手８とのねじのかみ合わせで支持されているが、他方の端部はブリッジ筐体１１３の軸受け孔１１８により支持されているため、両端がねじのかみ合わせで受けられた構造と比較すると作動ガタは小さい。このように、焦点調整軸５および視度差調整軸６は、作動ガタが小さいため、焦点調整時に焦点調整軸５や視度差調整軸６が左右に振られる量は小さく、作動ガタによる左右の焦点調整用レンズ１４，１５の移動量の差の小さい双眼鏡を提供できる。
【００２７】
また、第１の実施の形態の双眼鏡は、焦点調整軸５の作動ガタをさらに小さくするために、以下のような構造にしている。焦点調整軸５は、軸５ａ方向の長さａが長ければ軸受け孔１１０，１１１との嵌合長ｂ＝ｂ１＋ｂ２（図１参照）を長くでき、作動ガタを小さく抑制できる。しかしながら、焦点調整軸５の長さａは、双眼鏡の組立時に、焦点調整軸５の片側の端部をまず軸受け孔１１０，１１１のうち切り欠き部が設けられている方（ここでは軸受け孔１１０）に、切り欠き部を通して光軸に対して垂直な方向から挿入し、その状態で反対側の端部をもう一方の軸受け孔１１１に挿入するという手順が遂行できるように長さを定めておかなければならない。この焦点調整軸５の挿入時に、焦点調整軸５に視度差調整軸６がすでに係合していると、焦点調整軸５単独の場合よりも軸方向の移動制限が多くなり、焦点調整軸５の長さａを短くせざるを得なくなる。そこで、本実施の形態では、焦点調整軸５の羽根５Ｌ，５Ｒの先端を鉤状とし、鉤の開口方向を図１１のように軸５ａを中心とした時計回りの進行方向に向けている。組立時には、まず、焦点調整軸５を単独で軸受け孔１１０、１１１に取り付け、焦点調整軸５を軸５ａを中心に反時計回りに回転させて、焦点調整軸５の羽根５Ｌ，５Ｒを退避させる（図１１の実線の焦点調整軸５の状態）。この状態で視度差調整軸６およびフォーカス軸１３Ｌを図１１のように挿入した後、焦点調整軸５を軸５ａを中心に時計回りに回転させることにより、左右の羽根５Ｌ、５Ｒの先端の鉤を視度差調整軸６およびフォーカス軸１３Ｌに係合させる（図１１の２点鎖線の焦点調整軸５の状態）。この後、案内軸１２Ｌを左羽根５Ｌに挿入すると、焦点調整軸５の回転が阻止される。このように、本実施の形態の双眼鏡では、焦点調整軸５をブリッジ筐体１１３に取り付けた後で視度差調整軸６およびフォーカス軸１３Ｌに係合させることができる構造であるため、焦点調整軸５を単独でブリッジ筐体１１３に取り付けることができる。よって、焦点調整軸５の長さａを長くでき、作動ガタの少ない焦点調整軸５を実現できる。これにより、作動ガタによる左右の焦点調整用レンズ１４，１５の移動量の差の小さい双眼鏡を提供できる。
【００２８】
また、継手８の作動ガタを減少させるために、継手８を、図２のように継手８ａと継手８ｂの２部材に分けた構造にすることもできる。これを以下説明する。視度差調整軸６の軸６ａと案内軸１２Ｒの軸１２１との軸間隔は、実際の製品では部品間の製造誤差によりばらつきが生じる。これを補正するため、図１の構造の場合には、継手８の案内軸１２Ｒが通る貫通孔１２０の径を、案内軸１２Ｒの径よりも前述の軸間隔の誤差補正分だけ大きくして径方向のガタをつくるか、もしくは、視度差調整軸６と継手８とが噛み合うねじのガタを大きく取ることが必要である。しかしながら、いずれの場合も、継手８の作動ガタが大きくなり、継手８は軸１２１の左右方向に振られ、左右の焦点調整用レンズ１４，１５の移動量に差が生じてしまう。そこで、図２、図１２のように、継手８を継手８ａと継手８ｂの２つの部品に分け、継手８ａと継手８ｂとが連結する部分が、視度差調整軸６の軸６ａと案内軸１２Ｒの軸１２１の軸間隔方向に位置調整できる構造とする。すなわち、視度差調整軸側の継手８ａの凹部１２２が、案内軸１２Ｒ側の継手８ｂの凸部１２３と嵌合する構造とし、その嵌合深さは、視度差調整軸６の軸６ａと案内軸１２Ｒの軸１２１の軸間隔方向に誤差ｄを許容できる深さに設計されている。これにより、視度差調整軸６の軸６ａと案内軸１２Ｒの軸１２１の軸間隔の誤差が継手８ａ，８ｂの嵌合部で吸収できるために、案内軸１２Ｒが通る貫通孔１２０の径を大きめにする等の必要がなくなり、軸間隔の誤差の補正量を含まない貫通孔１２０の径およびねじの噛み合いガタの値で部品を製造できる。これにより、継手８ａ、８ｂの軸１２１の左右方向のガタを減少させることができ、左右の焦点調整用レンズ１４，１５の移動量に差が小さい双眼鏡を提供できる。
【００２９】
また、継手８ｂは、異形のため成型品で製造するのが容易であるが、成型品の場合は成形型の抜き勾配を付けるために、貫通孔１２０の径を軸１２１方向に沿って傾斜させる必要がある。そこで、抜き勾配のために大きくなった貫通孔１２０の径によって継手８ｂに作動ガタが生じるのを防止するために、貫通孔１２０の一端に、案内軸１２Ｒと嵌合するリング１１を取り付けることができる。これにより、さらに継手８ｂの作動ガタを減少させることができる。
【００３０】
また、視度差調整軸６と継手８ａとのねじの噛み合い部分のねじガタを抑制するために、図２のように、視度差調整軸６の外周に設けた突起１２４と継手８ａとの間にばね１６を挿入することができる。ばね１６は、継手８ａを視度差調整軸６の端部に向かって付勢するため、継手８ａの雌ねじが視度差調整軸６外周の雄ねじに軸６ａ方向に押しつけられ、ねじガタが抑制させる。これにより、継手８ａの作動ガタを減少させることができる。
【００３１】
つぎに、本発明の第２の実施の形態の双眼鏡について、図３、図４，図８を用いて説明する。
【００３２】
第２の実施の形態の双眼鏡は、基本的な構成は、第１の実施の形態の双眼鏡と同じであるが、焦点調整軸５を図３，図４のようにブリッジ筐体１１３の中央部に配置し、焦点調整軸５の下部に視度差調整軸６を配置している点が第１の実施の形態とは異なっている。したがって、焦点調整軸５の左羽根５Ｌは、第１の実施の形態と同様の形状であるが、右羽根５Ｒは、図８のように焦点調整軸５から下向きに伸びて視度差調整軸６と係合している。左右の羽根５Ｒ、５Ｌの先端の鉤の開口は、第１の実施の形態と同様に焦点調整軸５を軸５ａを中心に時計方向に回転させた場合の進行方向に向けられている。また、焦点調整用ノブ４は、ブリッジ筐体１１３の物体側端部に配置され、視度差調整用ノブ７は、ブリッジ筐体１１３の接眼側端部に配置されている。視度差調整軸６とフォーカス軸１３Ｒを接続する継手は、第１の実施の形態の図２の構成と同様に継手８ａと継手８ｂの２つの部材からなり、軸間隔の誤差を吸収する構成である。
【００３３】
第２の実施の形態の双眼鏡では、視度差調整軸６を焦点調整軸５の下部に配置したことにより、左右の羽根５Ｒ，５Ｌを含めた焦点調整軸５の幅が小さくなる。このため、双眼鏡の組み立て時に焦点調整軸５をブリッジ筐体１１３に取り付ける際、焦点調整軸５を軸５ａを中心に反時計回りに回転させると、焦点調整軸５の羽根５Ｌ，５Ｒを大きく退避させることができる（図９の実線の焦点調整軸５の状態）。したがって、視度差調整軸６およびフォーカス軸１３Ｌを挿入する作業を容易に行うことができる。その後、焦点調整軸５を軸５ａを中心に時計回りに回転させることにより、左右の羽根５Ｌ、５Ｒの先端の鉤を視度差調整軸６およびフォーカス軸１３Ｌに係合させ（図９の２点鎖線の焦点調整軸５の状態）、案内軸１２Ｌを左羽根５Ｌに挿入して、焦点調整軸５の軸方向の回転を阻止する。このように、第２の実施の形態の双眼鏡は、組立時に焦点調整軸５の羽根５Ｌ、５Ｒを大きく退避させることができるため、組立作業を容易に行うことができ、製造効率が高められるという効果が得られる。このほかの構成及び作用は、第１の実施の形態の双眼鏡と同様であるので、説明を省略する。
【００３４】
なお、上述の第１及び第２の実施の形態では、焦点調整軸５の回転を阻止するために、案内軸１２Ｌを左羽根５Ｌに挿入しているが、他の機構を用いることももちろん可能である。例えば、ブリッジ筐体１１３の一部に案内溝を設けておき、この案内溝と左羽根５Ｌの一部を係合させることにより、焦点調整軸５の回転を阻止することが可能である。また、ブリッジ筐体１１３やブリッジカバー２０の一部に突起を設けておき、この突起で左右羽根５Ｌ、５Ｒの一部を押さえることで、回転を阻止する構成にすることも可能である。
【００３５】
また、上述の第１及び第２の実施の形態では、継手８、８ｂの案内機構として、案内軸１２Ｒを用いているが、案内軸１２Ｒに限らず、継手８、８ｂの端部と係合する案内溝等の他の機構を用いることが可能である。
【００３６】
また、上述の第１及び第２の実施の形態の双眼鏡は、視度差調整軸６が視度調整のために焦点調整用レンズ１５を移動させる構成であったが、焦点調整用レンズ１４を移動させる構成にすることももちろん可能である。
【００３７】
【発明の効果】
上述してきたように、本発明によれば、焦点調整機能と視度差調整機能とを備えながら、焦点調整の範囲の広い双眼鏡を提供することができる。
【図面の簡単な説明】
【図１】本発明の第１の実施の形態の双眼鏡の内部構造を示す切り欠き断面図。
【図２】本発明の第１の実施の形態の双眼鏡であって、継手を２部材に分け、視度差調整軸にばねを取り付けた双眼鏡の構造を示す切り欠き断面図。
【図３】本発明の第２の実施の形態の内部構造を示す切り欠き断面図。
【図４】本発明の第２の実施の形態の内部構造を示す別の位置の切り欠き断面図。
【図５】図１の双眼鏡の視度差調整軸６のスプライン構造を示すＡ−Ａ断面図。
【図６】図１の双眼鏡の視度差調整軸６の別の例のスプライン構造を示すＡ−Ａ断面図。
【図７】図１の双眼鏡のＥ−Ｅ断面図。
【図８】図３の双眼鏡のＢ−Ｂ断面図。
【図９】図３の双眼鏡の組立時のブリッジ３部分のＢ−Ｂ断面図。
【図１０】図１の双眼鏡のＣ−Ｃ断面図。
【図１１】図１の双眼鏡の組立時のブリッジ３部分のＣ−Ｃ断面図。
【図１２】図２の双眼鏡のＤ−Ｄ断面図。
【図１３】図１の双眼鏡の外観を示すための斜視図。
【符号の説明】
１…左鏡体、２…右鏡体、３…ブリッジ、４…焦点調整用ノブ、５…焦点調整軸、５Ｌ…左羽根、５Ｒ…右羽根、６…視度差調整軸、７…視度差調整用ノブ、８…継手、８ａ，８ｂ…継手、１２Ｒ…案内軸、１２Ｌ…案内軸、１３Ｌ、１３Ｒ…フォーカス軸、１４，１５…焦点調整用レンズ、１４ａ，１５ａ…レンズ枠、１６…ばね、２０…ブリッジカバー、１０１Ｌ，１０１Ｒ…対物レンズ、１０２Ｌ，１０２Ｒ…プリズム、１０３Ｌ，１０３Ｒ…接眼レンズ部、１１０，１１１…軸受け孔、１１３…ブリッジ筐体、１１４…凹部、１１２…貫通孔、１１７…凹部、１２０…貫通孔、１２２…凹部、１２３…凸部、１３０、１３１…鉤の開口。
【図１】
0004590799.tif 000002
【図２】
0004590799.tif 000003
【図３】
0004590799.tif 000004
【図４】
0004590799.tif 000005
【図５】
0004590799.tif 000006
【図６】
0004590799.tif 000007
【図７】
0004590799.tif 000008
【図８】
0004590799.tif 000009
【図９】
0004590799.tif 000010
【図１０】
0004590799.tif 000011
【図１１】
0004590799.tif 000012
【図１２】
0004590799.tif 000013
【図１３】
0004590799.tif 000014